(57)【要約】【課題】印刷条件の設定及び確認を一目で行なうことができるよう表示するとともに、同時に設定できない項目を選択不可能にする表示を行なう印刷装置を提供する。【解決手段】表示部の画面上に印刷条件の設定のための表示を行う印刷装置であって、前記画面上の第１表示領域に複数の印刷条件の項目を表示し、第１表示領域に表示された項目のうちユーザにより複数の項目が選択された場合、第１表示領域とは異なる第２表示領域にこれら選択された項目に関する設定条件内容を並べて表示する表示制御部００２を備え、表示制御部００２は、既に選択されている各項目とこれら選択されている項目とは異なる他の項目とが共存可能な印刷条件同士であるかどうか判定して、共存できない場合は、他の項目を前記第１表示領域から選択不可能にする。【選択図】図１
2008044158.tif 000002
【特許請求の範囲】
【請求項１】
表示部を備え、前記表示部の画面上に印刷条件の設定のための表示を行う印刷装置であって、
前記画面上の第１表示領域に複数の印刷条件の項目を表示し、前記第１表示領域に表示された項目のうちユーザにより複数の項目が選択された場合、前記第１表示領域とは異なる第２表示領域にこれら選択された項目に関する設定条件内容を並べて表示する表示制御部を備え、
前記表示制御部は、
既に選択されている前記各項目とこれら選択されている項目とは異なる他の項目とが共存可能な印刷条件同士であるかどうか判定して、共存できない場合は、前記他の項目を前記第１表示領域から選択不可能にする、
ことを特徴とする印刷装置。
【請求項２】
前記表示制御部は、前記選択された項目を格子状に並べて表示することを特徴とする請求項１に記載の印刷装置。
【請求項３】
前記表示制御部は、ユーザにより複数の項目が選択された場合、所定の印刷処理手順を参照して前記選択された複数の項目の前記設定条件内容を前記第２表示領域に表示することを特徴とする請求項１または請求項２に記載の印刷装置。
【請求項４】
前記表示制御部は、共存できない前記他の項目の表示を、前記第１表示領域内から削除することを特徴とする請求項１乃至３のいずれか一つに記載の印刷装置。
【請求項５】
前記表示制御部は、共存できない前記他の項目の表示を、前記第１表示領域内でグレーアウトすることを特徴とする請求項１乃至３のいずれか一つに記載の印刷装置。
【請求項６】
表示部の画面上に印刷条件の設定のための表示を行う印刷設定画面表示方法であって、
前記画面上の第１表示領域に複数の印刷条件の項目を表示するステップと、
前記第１表示領域に表示された項目のうちユーザにより複数の項目が選択された場合、前記第１表示領域とは異なる第２表示領域にこれら選択された項目に関する設定条件内容を並べて表示するステップと、
既に選択されている前記各項目とこれら選択されている項目とは異なる他の項目とが共存可能な印刷条件同士であるかどうか判定して、共存できない場合は、前記他の項目を前記第１表示領域から選択不可能にするステップと、
そ備えることを特徴とする印刷設定画面表示方法。
【請求項７】
表示部の画面上に印刷条件の設定のための表示を印刷装置に行わせる印刷設定画面表示プログラムであって、
前記画面上の第１表示領域に複数の印刷条件の項目を表示させ、前記第１表示領域に表示された項目のうちユーザにより複数の項目が選択された場合、前記第１表示領域とは異なる第２表示領域にこれら選択された項目に関する設定条件内容を並べて表示させ、
既に選択されている前記各項目とこれら選択されている項目とは異なる他の項目とが共存可能な印刷条件同士であるかどうか判定して、共存できない場合は、前記他の項目を前記第１表示領域から選択不可能にさせる、
ことを特徴とする印刷設定画面表示プログラム。
【発明の詳細な説明】
【技術分野】
【０００１】
本発明は、印刷条件を設定する設定画面を有する印刷装置、及び印刷条件を設定する設定画面を表示する印刷設定画面表示方法、印刷設定画面表示プログラムに関する。
【背景技術】
【０００２】
近年、プリンタや複写機のような印刷装置において、高度な制御技術及びデータ処理技術が使用され、多様化した複数の機能が搭載されてきている。このような多機能の印刷装置では、ユーザは機能選択及び条件設定に多数の操作を行なうことが必要である。そこで、このような多機能の印刷装置は、多数の機能又は実行条件などの印刷条件を表示する表示部と、この表示装置に表示された印刷条件を設定操作するキーボードのような入力部とを備え、それらがユーザインターフェースとして機能するよう構成されている。
【０００３】
このようなユーザインターフェース用の表示部では、限られた面積の表示領域に多数の機能及び実行条件などの印刷条件を表示しなければならない。このため、従来の複写機では、階層型のメニューやウィザード形式などを使用して印刷条件の設定画面を表示していた。しかし、これらの形式では、ユーザが一目で全ての印刷条件の設定を把握することは困難であり、印刷条件の設定確認の視認性に問題がある。そして、このように視認性に問題がある場合には、ユーザは複雑な操作で印刷条件の設定を行なう必要があり、熟練者であれば複雑な操作を行なう必要があっても高速に印刷条件の設定を行なうことは可能であるが、初心者にとっては操作性に問題が生じてしまい、高速に印刷条件の設定を行なうことが困難となる。
【０００４】
そこで、従来、印刷条件の設定確認の視認性を上げるため、設定項目のチェック画面を用意し、設定項目のチェック時に変更が生じた場合にチェック画面から指定項目の設定画面に飛び、設定完了後は一つの動作でチェック画面に戻る技術（例えば、特許文献１参照。）や、階層化されたメニューの設定時にチェックキーによって設定項目のチェック画面に飛び、階層化されたメニューにおいて設定変更した場合は設定完了ボタンがありそれを押すとチェック画面に戻ってすぐに確認できる技術（例えば、特許文献２参照。）が提案され、これらチェック画面を使用することにより、視認性の向上がなされている。また、複数に区画された表示領域に機能、実行条件の上位階層をおき、区画をマトリクス化して、視認性を向上させる技術（例えば、特許文献３参照。）が提案されている。また、操作を簡単にするため、タブ形式の操作画面を用い、グラデーションなどで操作順序を示し、ウィザード形式のように設定項目を順次表示していく技術（例えば、特許文献４参照。）が提案されている。さらに、操作を簡単することで誤操作を防ぐために、ジョブ結合時に３種に種類別けされるジョブ設定データに応じて結合可能かどうかを判断し、ジョブ結合が認められないジョブは結合選択できないように網掛けされる技術（例えば、特許文献５参照。）や、ＭＩＢ（Ｍａｎａｇｅｍｅｎｔ  Ｉｎｆｏｒｍａｔｉｏｎ  Ｂａｓｅ）情報を使用してデバイス設定する場合に不要な設定をグレー表示する技術（例えば、特許文献６参照。）等が提案されている。これらの技術により、初心者、熟練者ともに同じ設定画面を使用しながらも、使用しやすい操作画面を提供することが図られてきた。
【０００５】
【特許文献１】特開２０００−９４７８９号公報
【特許文献２】特開２００３−２６６８６６号公報
【特許文献３】特開２００４−２８２４０１号公報
【特許文献４】特開２００１−２４６８１９号公報
【特許文献５】特開２００３−１７４５２９号公報
【特許文献６】特開平１０−３１２２５８号公報
【発明の開示】
【発明が解決しようとする課題】
【０００６】
しかし、単にチェック画面を用意するだけでは、ユーザがチェック画面に移動するのに手間がかかったり、設定画面と設定内容がチェック画面を通じてしかまとまらないので視認性にかけたりする。また、区画をマトリクス化しても結局階層メニュー化されてしまい視認性にかける。また、ジョブ毎に細かい違いがある場合、設定順序は操作者により異なるため、ウィザード形式だとユーザが操作しにくくなるおそれがあるし、タブ形式でも印刷条件の設定の全てを一目で把握することは困難である。さらに、ジョブの相互の条件やＭＩＢの方法でユーザが選択する項目を減らすだけでは、ユーザの誤操作のおそれは減るが、印刷条件の設定確認の視認性を向上させることは困難である。
【０００７】
本発明は、このような事情に鑑みてなされたもので、印刷条件の設定及び確認を一目で行なうことができるよう表示するとともに、同時に設定できない項目を選択不可能にする表示を行なう印刷装置を提供することを目的としている。
【課題を解決するための手段】
【０００８】
上記目的を達成するために、請求項１に記載の発明は、表示部を備え、前記表示部の画面上に印刷条件の設定のための表示を行う印刷装置であって、前記画面上の第１表示領域に複数の印刷条件の項目を表示し、前記第１表示領域に表示された項目のうちユーザにより複数の項目が選択された場合、前記第１表示領域とは異なる第２表示領域にこれら選択された項目に関する設定条件内容を並べて表示する表示制御部を備え、前記表示制御部は、既に選択されている前記各項目とこれら選択されている項目とは異なる他の項目とが共存可能な印刷条件同士であるかどうか判定して、共存できない場合は、前記他の項目を前記第１表示領域から選択不可能にすることを特徴とするものである。
【０００９】
請求項２に記載の発明は、請求項１に記載の印刷装置であって、前記表示制御部は、前記選択された項目を格子状に並べて表示することを特徴とするものである。
【００１０】
請求項３に記載の発明は、請求項１または請求項２に記載の印刷装置であって、前記表示制御部は、ユーザにより複数の項目が選択された場合、所定の印刷処理手順を参照して前記選択された複数の項目の前記設定条件内容を前記第２表示領域に表示することを特徴とするものである。
【００１１】
請求項４に記載の発明は、請求項１乃至３のいずれか一つに記載の印刷装置であって、前記表示制御部は、共存できない前記他の項目の表示を、前記第１表示領域内から削除することを特徴とするものである。
【００１２】
請求項５に記載の発明は、請求項１乃至３のいずれか一つに記載の印刷装置であって、前記表示制御部は、共存できない前記他の項目の表示を、前記第１表示領域内でグレーアウトすることを特徴とするものである。
【００１３】
請求項６に記載の印刷設定画面表示方法は、表示部の画面上に印刷条件の設定のための表示を行う印刷設定画面表示方法であって、前記画面上の第１表示領域に複数の印刷条件の項目を表示するステップと、前記第１表示領域に表示された項目のうちユーザにより複数の項目が選択された場合、前記第１表示領域とは異なる第２表示領域にこれら選択された項目に関する設定条件内容を並べて表示するステップと、既に選択されている前記各項目とこれら選択されている項目とは異なる他の項目とが共存可能な印刷条件同士であるかどうか判定して、共存できない場合は、前記他の項目を前記第１表示領域から選択不可能にするステップと、を備えることを特徴とするものである。
【００１４】
請求項７に記載の印刷設定画面表示プログラムは、表示部の画面上に印刷条件の設定のための表示を印刷装置に行わせる印刷設定画面表示プログラムであって、前記画面上の第１表示領域に複数の印刷条件の項目を表示させ、前記第１表示領域に表示された項目のうちユーザにより複数の項目が選択された場合、前記第１表示領域とは異なる第２表示領域にこれら選択された項目に関する設定条件内容を並べて表示させ、既に選択されている前記各項目とこれら選択されている項目とは異なる他の項目とが共存可能な印刷条件同士であるかどうか判定して、共存できない場合は、前記他の項目を前記第１表示領域から選択不可能にさせることを特徴とするものである。
【発明の効果】
【００１５】
この発明による印刷装置によれば、印刷条件の設定及び確認を一目で行なうことができるよう表示できるとともに、選択に必要のない項目を選択不可能にする表示を行なうことが可能となる。これにより、ユーザは各印刷条件を設定するために画面を切り替える必要はなく、ユーザは従来よりも画面の切り替え分だけ少ない操作回数（クリック回数）で印刷条件の設定を行なえる。また、ユーザは実行不可能な条件設定を行なうことがなくなるので、ユーザの誤操作が減少する。したがって、初心者、熟練者ともに同じ画面を共有しながらも、使いやすく操作性が向上した操作画面を提供することができる。
【発明を実施するための最良の形態】
【００１６】
〔第１の実施形態〕
以下、この発明の第１の実施形態に係る印刷装置について図１、図２、及び図３を参照しながら説明する。図１は本発明に係る印刷装置のブロック図である。図２は本発明に係る印刷装置における印刷条件の設定画面の概略図である。図３は本発明に係る印刷装置が有する禁則テーブルを説明するための図である。図１に示すように、本発明に係る印刷制御装置は、表示部００１、表示制御部００２、入力部００３、実行制御部００４、印刷部００５、及び記憶部００６を有する。ここで、表示部００１はモニタなどであり、入力部００３はキーボード及びマウスなどであり、表示部００１と入力部００３はともにユーザインターフェースである。また、表示制御部００２及び実行制御部００４はＣＰＵ（Ｃｅｎｔｒａｌ  Ｐｒｏｃｅｓｓｉｎｇ  Ｕｎｉｔ）で構成されている。さらに、記憶部００６はハードディスクなどであり、印刷部００５はプリンタなどの実際に画像の印刷を行う部分である。
【００１７】
まず、表示制御部００２は、表示画面上を第１表示領域１０１（図２における１０１で示される領域。）、第２表示領域１０２（図２における１０２で示される領域。）、及び第２表示領域１０２の中に格子状に並んだ複数の小領域１０３（図２における１０３で示される領域。）に分けて生成し、座標情報として持っている。
【００１８】
表示制御部００２は、第１表示領域１０１の中に印刷条件の項目をアイコン１０４として表示する（図２における１０４で囲まれた部分を指す。）。ここで、印刷条件の項目とは、印刷装置にどのような機能の設定を行なうかを示すものであり、例えば、インターシート、小冊子、プログラムジョブ、章分け、差込ページ、拡大連写、１枚集約、及びページ連写等の応用設定の項目、パンチ、Ｚ折り、グループ、及びソート等の出力設定の項目、原稿セット方向、原稿画質、特殊原稿、及び定形／不定形原稿等の原稿設定の項目、用紙のサイズを選択する用紙設定の項目、及び、任意倍率、及び固定倍率等の倍率設定の項目等がある。そして、本実施形態においては、表示制御部００２は、これら１つ１つの設定項目に１つのアイコン１０４を割当て、さらに、表示制御部００２は、各設定の分類毎にアイコン１０４を並べ、表示部００１に表示させている。この状態が、印刷条件を設定するための初期画面である。以下の説明では、印刷条件の項目とは上記のような印刷条件の種類を表している。
【００１９】
次に、表示制御部００２は、ユーザにより初期画面から第１の表示領域１０１の中に表示されているアイコン１０４（表現領域１０１に表示されているアイコンは、印刷条件の項目を示すものである。）の中から選択された印刷条件を受けて、図３に示すような、記憶部００６に記憶されている禁則テーブルを参照し、ユーザが選択した印刷条件と両立して実行することができない他の印刷条件（以下、「禁則項目」という。）を取得する。ここで、図３のテーブルはある印刷条件に対応して、その印刷条件と共存できない印刷条件を表しており、左端に表示している印刷条件に対し、上端に表示している印刷条件と共存できない印刷条件の場合には×、制限付きで共存可能な場合には△、制限なく共存可能な場合には○、を記載している。
【００２０】
さらに、表示制御部００２は、取得した禁則項目にあたるアイコン１０４の表示を、表示部００１の第１表示領域１０１から削除する。本実施例では、アイコン１０４を削除することで、ユーザが禁則項目を使用することを不可能にしているが、これは単に禁則項目に対応するアイコン１０４をグレーアウトする方法などでもよい。
【００２１】
また、表示制御部００２は、ユーザが既に設定している印刷条件を解除する場合には、入力部００３からの解除したい印刷条件の取消命令を受けて、印刷装置が有する禁則テーブルを参照し、現在設定されているそれぞれの印刷条件と共存できない印刷条件の中で、取り消される印刷条件のみと共存できない禁則項目を取得する。そして、それら禁則項目に対応するアイコン１０４の表示を、表示部００１に再表示させる。これにより、ユーザはその印刷条件を再び選択できるようなる。本実施例では、条件内容を表示している小領域１０３に表示されている条件内容の表示を閉じるボタンをユーザが入力部００３を使用してクリックすることで印刷条件の取消命令が送られる。
【００２２】
次に、表示制御部００２は、ユーザにより初期画面から第１の表示領域１０１の中に表示されているアイコン１０４の中から選択された印刷条件を受けて、第２表示領域１０２に含まれる先頭の小領域１０３に、記憶部００６に記憶されている該印刷条件の設定条件内容を、表示部００１に表示させる。本実施例では、先頭の小領域１０３とは左上の端であり、小領域１０３の順番としては、先頭の小領域１０３から右に順番に並んでおり、右端の小領域１０３の次は１段下の行の左端の小領域１０３に移る。この並びを繰り返して、小領域１０３の順番が決まっている。また、禁則テーブルで制限付きの実行が許されている印刷条件については、表示制御部００２は、制限部分を除いた条件内容を表示部００１に表示させる。ユーザは、小領域１０３に表示された設定条件内容の表示を利用して、入力部００３により印刷条件の設定を行なう。
【００２３】
さらに、ユーザがいくつかの印刷条件の設定を行なった後にさらに他の印刷条件の設定を行なうため、第１表示領域１０１に表示されているアイコン１０４の中から所定の印刷条件の項目に該当するアイコン１０４を、入力部００３を使用して指定した場合には、表示制御部００２は、既に表示されている設定条件内容の順番を一つずつスライドさせて小領域１０３に表示するとともに、ユーザが指定した印刷条件を受けて、先頭の小領域１０３に設定条件内容を表示する。ここで、第１表示領域１０１に表示されているアイコン１０４とは、初期画面で表示されていた全てのアイコン１０４から、ユーザが選択した印刷条件項目に対応した禁則項目のアイコン１０４を除いたものである。
【００２４】
また、ユーザが既に設定している印刷条件を解除する場合には、表示制御部００２は、入力部００３を使用したユーザからの印刷条件の取消命令を受けて、該印刷条件の設定条件内容が表示されている小領域１０３から、該設定条件内容の表示を削除し、該条件内容が表示されていた小領域１０３の後の順番の小領域１０３に表示されている条件内容の順番を一つずつ前にずらして、表示部００１に表示させる。このように、本実施例では隙間が開かないように印刷条件１０３の順番をずらしているが、設定中に設定条件内容の表示の場所が変わると使い勝手が悪いことも考えられるので、そのまま印刷条件１０３の位置を変えずに表示させておいてもよい。
【００２５】
このようにして、ユーザが印刷条件の設定を複数行なった後に、実行制御部００４は、ユーザによる入力部００３からの設定された印刷条件を確定する信号を受けて、その設定された印刷条件の設定条件内容に基づき、印刷部００５に画像の印刷を行なわせる。
【００２６】
また、ユーザが入力部００３を使用して、表示部００１に表示されている既に設定している全ての印刷条件を解除するためのボタンであるキャンセルボタン（不図示）をクリックした場合には、それを受けて、表示制御部００２は、表示されている設定条件内容を全て消去し、初期画面を表示する。
【００２７】
ここで、表示制御部００２、及び実行制御部００４は、上記の動作と図４のフローに沿ったプログラムを実行するＣＰＵで構成されている。具体的には、ＣＰＵはＲＯＭ（Ｒｅａｄ  Ｏｎｌｙ  Ｍｅｍｏｒｙ）に格納されたプログラムをＲＡＭ（Ｒａｎｄｕｍ  Ａｃｃｅｓｓ  Ｍｅｍｏｒｙ）にロードして当該プログラムを実行することにより表示制御部００２、実行制御部００４を構成する。尚、本実施形態においては、禁則テーブルは上述のＲＯＭに格納されており、上述のプログラムの一部を構成している。
【００２８】
次に、本実施例に係る印刷装置における印刷条件の設定及び設定画面の表示の流れを図４を参照して説明する。ここで、図４は印刷条件の設定における画面の表示の流れを示すフローチャートである。また、図４のフローチャートは、既に表示制御部００２が、表示画面上を第１表示領域１０１、第２表示領域１０２、及び第２表示領域１０２の中に複数の小領域１０３に分けて生成し、座標情報として有しており。さらに、表示制御部００２が、印刷条件の項目のアイコン１０４を第１表示領域１０１に表示させ、表示部００１に初期画面を表示させている状態からスタートする。
【００２９】
ステップＳ００１：表示制御部００２は、ユーザにより初期画面から設定する印刷条件が選択されたかを判断する。印刷条件が選択された場合にはステップＳ００２へ進み、印刷条件が選択されない場合にはステップＳ０１１へ進む。
【００３０】
ステップＳ００２：表示制御部００２は、禁則テーブルを参照する。
【００３１】
ステップＳ００３：表示制御部００２は、選択された印刷条件を受けて、その印刷条件に対応する禁則項目があるかを判定する。対応する禁則項目がある場合にはステップＳ００４に進み、対応する禁則項目がない場合にはステップＳ００７に進む。
【００３２】
ステップＳ００４：表示制御部００２は、禁則項目に対応したアイコン１０４の表示を、第１表示領域１０１から削除する。
【００３３】
ステップＳ００５：表示制御部００２は、選択された印刷条件を受けて、その印刷条件に対応する禁則項目があるかを判定する。対応する禁則項目がある場合にはステップＳ００６に進み、対応する禁則項目がない場合にはステップＳ００７に進む。
【００３４】
ステップＳ００６：表示制御部００２は、禁則項目に対応したアイコン１０４の表示を、第１表示領域１０１から削除する。
【００３５】
ステップＳ００７：表示制御部００２は、既に表示されている設定条件内容を一つずつ後にスライドさせた小領域１０３の位置に表示させる。
【００３６】
ステップＳ００８：表示制御部００２は、選択された印刷条件の設定条件内容を先頭の小領域１０３に表示させる。
【００３７】
ステップＳ００９：表示制御部００２は、設定してある印刷条件の取消命令をユーザから受けたかを判断する。取消命令を受けた場合にはステップＳ０１０に進み、取消命令を受けていない場合にはステップＳ０１１に進む。
【００３８】
ステップＳ０１０：表示制御部００２は、ユーザからの印刷条件の取消命令を受けて、該印刷条件のみに対応する禁則項目のアイコン１０４を、第１表示領域１０１に表示させる。
【００３９】
ステップＳ０１１：実行制御部００４は、設定されている全ての印刷条件を取り消す命令であるキャンセル命令をユーザから受けたかを判断する。キャンセル命令を受けた場合にはステップＳ０１２に進み、キャンセル命令を受けていない場合にはステップＳ０１３に進む。
【００４０】
ステップＳ０１２：表示制御部００２は、設定条件内容の表示を全て消去し、初期画面を表示部００１に表示させる。
【００４１】
ステップＳ０１３：ユーザは、印刷条件の設定が完了したか否かを判断し、印刷条件の設定が全て完了している場合には印刷条件の設定を終了し、さらに印刷条件の設定を行なう場合には設定する印刷条件を選択し、これを受けて、印刷装置はステップＳ００１からステップＳ０１１までを繰り返す。
【００４２】
以上のように、設定する条件内容を１画面に全て表示することにより、ユーザは一目で印刷条件の設定を確認することができ視認性が向上する。そして、従来のように一つの印刷条件の設定を終える毎にクリックする必要がなくなるため、クリック回数を減らすことができ、印刷条件の設定の操作の煩雑さをなくし、簡単な操作による印刷条件の設定を行なえるようになる。例えば、１枚の転写紙に２ページ分の画像を表示させ、かつ左側にパンチ穴を開けるという設定を行なう場合には、従来のメニュー方式では、印刷条件の項目における応用設定の項目のボタンをクリックし、それにより開かれる画像の中から集約のボタンをクリックし、それにより開かれる画像で１枚の転写紙に２ページ分の画像を表示させるボタンをクリックし、確定ボタンをクリックし、集約の確定ボタンをクリックする、次に、出力設定のボタンをクリックし、それにより開かれる画像の中からパンチ穴のボタンをクリックし、それにより開かれる画像で左をクリックし、確定ボタンをクリックし、パンチ穴の確定ボタンをクリックする、以上の１０回のクリックで設定が完了する。これに対し、本発明では、応用設定の項目の集約のアイコンをクリックし、それにより開かれる条件内容の表示から１枚の転写紙に２ページ分の画像を表示させるボタンをクリックし、次に、出力設定の項目のパンチ穴のアイコンをクリックし、それにより開かれる条件内容の表示から左をクリックする、以上の４回のクリックで設定が完了する。このように、２つの印刷条件を設定する場合には、６回のクリック回数を削減することができ、さらに印刷条件が多くなればなるほど、クリック回数を減らすことができる。また、選択した印刷条件と両立して実行できない印刷条件を使用不可能にすることで、ユーザが設定しようとする複数の印刷条件が両立して実行できるか否かを判断せずに済み、簡単な操作により印刷条件の設定を行なうことが可能となる。
【００４３】
ここで、本実施形態では、設定条件内容を表示するのに、設定条件内容の表示が互いに重ならないようにし、さらに順番に並べ利便性を高めるため、格子状の小領域１０３を生成し、その小領域１０３に各設定条件内容を表示させているが、これは、設定条件内容の表示が互いに重ならなければどのような配置でもよく、例えば、第２表示領域１０２において設定条件内容が表示されている領域以外の場所に、新たな設定条件内容を表示していくような方法でもよい。
【００４４】
〔第２の実施形態〕
本実施形態に係る印刷装置は、第１の実施形態における条件内容を表示する小領域１０３の位置を、所定の印刷処理手順で並べて表示するようにしたものである。
【００４５】
本実施形態では、最初に原稿設定を行ない、次に用紙設定を行ない、次に倍率設定を行ない、次に応用設定を行ない、最後に出力設定を行なうといった印刷処理における手順が、事前に印刷装置の製造元によって記憶部００６に記憶させてある。この順番に従って小領域１０３が順次割当てられる。こうすることで、左側から右側に行くに従い印刷処理の後ろの順番になるので、どのような印刷条件がどの位置にあるか簡単に把握できる。
【００４６】
表示制御部００２は、ユーザにより第１の表示領域１０１の中に表示されているアイコン１０４の中から選択された印刷条件を受けて、記憶部００６に記憶してある印刷手順の順番に基づき、指定された印刷条件の設定条件内容を小領域１０３に順番に表示させる。ここで、既に表示されている設定条件内容の間にあたる手順の印刷条件が指定された場合には、表示制御部００２は、まず、選択された印刷条件より後の手順の設定条件内容を一つずつ後の小領域１０３にスライドさせ表示させる。次に、表示制御部００２は、設定条件内容をスライドさせてできた何も設定条件内容が表示されていない小領域１０３に選択された印刷条件の条件内容を表示させる。
【００４７】
また、表示制御部００２は、ユーザから印刷条件の取消命令を受けた場合には、該印刷条件の設定条件内容の表示を小領域１０３から削除し、設定条件内容の表示を削除した小領域１０３以降にある設定条件内容の表示を一つずつ前の小領域１０３にスライドさせて各設定条件内容を表示する。
【００４８】
本実施形態に係る印刷装置のその他の動作は、第１の実施形態と同様に動作する。
【００４９】
ここで、本実施形態では、印刷処理の流れに沿った設定条件内容の表示が一般的に利便性が高いため、事前に印刷装置の製造元によって設定された順番で設定条件内容を表示する構成にしているが、この順番は特に制限はなく、例えば、個々人の利便性を考え、ユーザに表示の順番を指定させ、その順番で設定条件内容の表示を行う構成でもよい。
【図面の簡単な説明】
【００５０】
【図１】本発明に係る印刷装置のブロック図
【図２】本発明に係る印刷条件の設定に使用する画面の概略図
【図３】禁則テーブルの説明のための図
【図４】印刷条件の設定における画面の表示の流れを示すフローチャート
【符号の説明】
【００５１】
００１  表示部
００２  表示制御部
００３  入力部
００４  実行制御部
００５  印刷部
００６  記憶部
１０１  第１表示領域
１０２  第２表示領域
１０３  小領域
１０４  アイコン（印刷条件の項目）
【図１】
2008044158.tif 000003
【図２】
2008044158.tif 000004
【図３】
2008044158.tif 000005
【図４】
2008044158.tif 000006